(57)【要約】      （修正有）【課題】組付けを容易に行うことができる電子機器のキャビネットを提供する。【解決手段】フロントキャビネット１１の第一内壁面近傍に凸状の受けリブ１８を複数備えて該第一内壁面と該受けリブ１８の間に挿入部２０を形成して、バックキャビネット３１には中央に中央部３３ａを備えた凸状の差込みリブ３３を形成して、組付ける際には、バックキャビネット３１の差込みリブ３３の中央部３３ａをガイドとして、フロントキャビネット１１の挿入部２０に差込み、受けリブ１８と第一内壁面で挟み込んで固定する。【選択図】図６
0003116829.tif 000002
【実用新案登録請求の範囲】
【請求項１】
前面を開口したバックキャビネットと、このバックキャビネットの前面を覆う枠型フレーム状のフロントキャビネットとを備え、その各キャビネットの開口縁部を相互に重ね合せて内部に各種部品を収納した電子機器のキャビネットであって、前記各キャビネットを重ね合わせる開口縁部の一方に、該開口縁部から突出した平板状の差込みリブを突設するとともに、他方の開口縁部の内周面側に前記差込みリブを受け入れる受けリブを形成し、該キャビネットの内周面側と受けリブとの間に前記差込みリブを挿入して各キャビネットを相互に位置決めするとともに、前記差込みリブは、両端部から中央部に向かって凸状に傾斜させたことを特徴とする電子機器のキャビネット。
【請求項２】
前記差込みリブがバックキャビネットの左右側面と天井面から突出し、前記受けリブは前記フロントキャビネットの左右側壁面と天井面の内周面側に位置して複数並設され、かつ、その各受けリブの先端がフロントキャビネットの開口縁部から突出して形成されていることを特徴とする請求項１記載の電子機器のキャビネット。
【請求項３】
前記各受けリブと前記フロントキャビネットの左右側壁面と天井面との間に前記受けリブを受け入れる挿入部を形成し、この挿入部が前記受けリブの先端部から差込みリブの挿入方向に向かって幅狭となるように傾斜させて形成するとともに、前記受けリブは、先端部に向かって肉薄となるテーパ状に形成したことを特徴とする請求項１又は２に記載の電子機器のキャビネット。
【考案の詳細な説明】
【技術分野】
【０００１】
本考案は、バックキャビネットとフロントキャビネットとから成るテレビジョン受像機等の電子機器のキャビネットに関する。
【背景技術】
【０００２】
従来から、テレビジョン受像機などの電子機器のキャビネットにおいては、前面を開口して内部に各種電子機器を内蔵するバックキャビネットと、このバックキャビネットの開口部を覆う枠状のフロントキャビネットから構成され、組付けに際し、分割した各キャビネットを嵌合してビス等で固着している。
【０００３】
このようなキャビネットの取付構造に関する技術として、特許文献１においては、テレビジョン受像機のフロントキャビネットの開口縁内側にネジ孔と凹部を有する突出部を一体形成し、バックキャビネットには、フロントキャビネットに形成した突出部と対向する位置に凹部と嵌合する凸部とネジの貫通口を形成し、凹部と凸部とを嵌合してフロントキャビネットとバックキャビネットとを位置決めした状態でネジにより固定するキャビネット装置が提案されている。
【０００４】
また特許文献２においては、キャビネットをフロントキャビネットとバックキャビネットにより構成し、バックキャビネットの両側面部と天板部に、中央に向って凹となる凹曲縁とした嵌合用リブを形成し、この嵌合用リブをフロントキャビネットの両側面部と天板部の内周面に重ね合わせてフロントキャビネットとバックキャビネットとを相互に位置決めした電子機器のキャビネットが提案されている。
【０００５】
【特許文献１】実開昭５７−１１９５８０号公報
【特許文献２】特開２００２−３１４９０１号公報
【考案の開示】
【考案が解決しようとする課題】
【０００６】
しかし、前述した特許文献１におけるキャビネット装置では、フロントキャビネット及びバックキャビネットの接合部分にそれぞれ凹部と凸部を形成して、これら凹凸部を嵌合して位置決めを行い、ネジで固定することから、例えば大型のテレビジョン受像機においては複数箇所を固定する場合、位置決めするための凹部と凸部の個数も増えるため、キャビネットの形状が複雑になるとともに、凹部と凸部との位置決め作業も複雑になり作業効率が低下する。
【０００７】
この点に関し、特許文献２における電子機器のキャビネットでは、位置決めのための嵌合用リブがフロントキャビネットの両側面部と天板部のほぼ幅方向に渡って形成され、特許文献１のように電子機器の大きさによってリブを増やす等の必要はないが、嵌合用リブの形状が中央に向って凹となる凹曲縁であるから嵌合用リブの両端が高くなる。このため、バックキャビネットとフロントキャビネットを嵌合して両キャビネットを位置決めする際に、嵌合用リブの両端部の二箇所をほぼ同時にフロントキャビネットに差し込まなければならないので、組み付け作業性に劣るものであって、特にキャビネットの大型化に伴ってバックキャビネットの撓み変形が増大することから、嵌合用リブをフロントキャビネットの内周部へとスムースに誘い込むように挿入することが困難となり、作業効率が低下する。
【０００８】
本考案は、上記課題を鑑みてなされたものであり、バックキャビネットとフロントキャビネットの組付け時にバックキャビネットに形成する差込みリブをフロントキャビネットへとスムースに誘い込んで組付け作業の効率化を可能とした電子機器のキャビネットを提供することを目的とする。
【課題を解決するための手段】
【０００９】
請求項1に係る電子機器のキャビネットは、前面を開口したバックキャビネットと、このバックキャビネットの前面を覆う枠型フレーム状のフロントキャビネットとを備え、その各キャビネットの開口縁部を相互に重ね合せて内部に各種部品を収納した電子機器のキャビネットであって、前記各キャビネットを重ね合わせる開口縁部の一方に、該開口縁部から突出した平板状の差込みリブを突設するとともに、他方の開口縁部の内周面側に前記差込みリブを受け入れる受けリブを形成し、該キャビネットの内周面側と受けリブとの間に前記差込みリブを挿入して各キャビネットを相互に位置決めするとともに、前記差込みリブは、両端部から中央部に向かって凸状に傾斜させたことを特徴とする。
【００１０】
請求項1の構成によれば、フロントキャビネットには受けリブを形成し、バックキャビネットには中央に向かって凸状に傾斜させた差込みリブを形成して、組付ける際に差込みリブの中央の中央部をガイドとして受けリブと内周面側の間に差込み挟持するので、受けリブへの挿入部分が一箇所である。これにより、キャビネットを組み付ける際の固定が容易となる。また、バックキャビネットに形成する差込みリブは、両端部から中央部に向かって凸状に傾斜させてあり、両端部は低くなっているので、落下等過度の衝撃が加わった際に起こる端部の破損による故障を防ぐことができる。
【００１１】
請求項２に係る電子機器のキャビネットは、請求項１記載のキャビネットにおいて、前記差込みリブがバックキャビネットの左右側面と天井面から突出し、前記受けリブは前記フロントキャビネットの左右側壁面と天井面の内周面側に位置して複数並設され、かつ、その各受けリブの先端がフロントキャビネットの開口縁部から突出して形成されていることを特徴とする。
【００１２】
請求項2の構成によれば、前記差込みリブはバックキャビネットの左右側面と天井面から突出するように形成し、前記受けリブはフロントキャビネットの左右側壁面と天井面に複数形成して、さらに該受けリブの先端がフロントキャビネットの開口縁部から突出して形成されているので、組み付ける際に受けリブが差込みリブをスムースに誘い込むことができるので、キャビネットの組付けを容易に行うことができ、また受けリブは複数形成されているので、差込みリブを複数箇所から確実に固定することができ、強度も上げることができる。
【００１３】
請求項３に係る電子機器のキャビネットは、請求項１、２記載のキャビネットにおいて前記各受けリブと前記フロントキャビネットの左右側壁面と天井面との間に前記受けリブを受け入れる挿入部を形成し、この挿入部が前記受けリブの先端部から差込みリブの挿入方向に向かって幅狭となるように傾斜させて形成するとともに、前記受けリブは、先端部に向かって肉薄となるテーパ状に形成したことを特徴とする。
【００１４】
請求項3の構成によれば、作業者はキャビネットを組付ける際に、バックキャビネットの差込みリブに形成した中央部をガイドとして、挿入部に挿入することができ、また、フロントキャビネットに形成した受けリブの先端部から差込みリブの挿入方向に向かって幅狭となるように傾斜させた該受けリブと内周面側との間に形成した挿入部に挿入するので、差込みリブをスムースに誘い込むことができ、さらに各リブが強固に固定され、各キャビネットが一体化するので、キャビネット内部に配置されるスピーカー音の振動がキャビネットに伝わり、部分的に生じる振動音などを抑制することができる。また、挿入部に差し込む差込みリブは、中央部が最も高い三角形状であるから、その最も高い中央の中央部の一箇所を挿入部に挿入すればよいから、差込みリブの複数箇所を同時に挿入部に挿入する必要がなく、キャビネットの組付けを容易に行うことができる。
【考案の効果】
【００１５】
本考案の請求項1の電子機器のキャビネットによれば、電子機器のキャビネットは前面を開口したバックキャビネットと、このバックキャビネットの前面を覆う枠型フレーム状のフロントキャビネットとを備え、その各キャビネットの開口縁部を相互に重ね合せて内部に各種部品を収納した電子機器のキャビネットであって、前記各キャビネットを重ね合わせる開口縁部の一方に、該開口縁部から突出した平板状の差込みリブを突設するとともに、他方の開口縁部の内周面側に前記差込みリブを受け入れる受けリブを形成し、該キャビネットの内周面側と受けリブとの間に前記差込みリブを挿入して各キャビネットを相互に位置決めするとともに、前記差込みリブは、両端部から中央部に向かって凸状に傾斜させたことにより、組付ける際に差込みリブの中央部をガイドとして受けリブと内周面側の間に差込み挟持することができ、キャビネットを組み付ける際の固定が容易にできるので作業効率を上げることができる。また、バックキャビネットに形成する差込みリブは、両端部から中央部に向かって凸状に傾斜させてあり、両端部は低くなっているので、落下等過度の衝撃が加わった際に起こる端部の破損による故障を防ぐことができるため品位の向上を図ることができる。
【００１６】
本考案の請求項２の電子機器のキャビネットによれば、電子機器のキャビネットは、請求項１記載のキャビネットにおいて、前記差込みリブがバックキャビネットの左右側面と天井面から突出し、前記受けリブは前記フロントキャビネットの左右側壁面と天井面の内周面側に位置して複数並設され、かつ、その各受けリブの先端がフロントキャビネットの開口縁部から突出して形成されていることにより、組み付ける際に受けリブが差込みリブをスムースに誘い込むことができるため、キャビネットの組付けを容易に行うことができ、作業効率を上げることができる。また受けリブは複数形成されているので、差込みリブを複数箇所から確実に固定することが可能となり、強度も上げることができるので品位を向上することが可能となる。
【００１７】
本考案の請求項３の電子機器のキャビネットによれば、電子機器のキャビネットは、請求項１、２記載のキャビネットにおいて前記各受けリブと前記フロントキャビネットの左右側壁面と天井面との間に前記受けリブを受け入れる挿入部を形成し、この挿入部が前記受けリブの先端部から差込みリブの挿入方向に向かって幅狭となるように傾斜させて形成するとともに、前記受けリブは、先端部に向かって肉薄となるテーパ状に形成したことにより、作業者はキャビネットを組付ける際に、バックキャビネットの差込みリブに形成した中央部をガイドとして、挿入部に挿入することができ、またこの時、フロントキャビネットに形成した受けリブの先端部から差込みリブの挿入方向に向かって幅狭となるように傾斜させた該受けリブと内周面側との間に形成した挿入部に挿入するので、差込みリブをスムースに誘い込むことができるので作業効率を高め、さらに各リブが強固に固定され、各キャビネットが一体化するので、キャビネット内部に配置されるスピーカー音の振動がキャビネットに伝わり、部分的に生じる振動音などを抑制することができるため、品位の向上を図ることができる。また、挿入部に差し込む差込みリブは、中央部が最も高い三角形状であるから、その最も高い中央の中央部の一箇所を挿入部に挿入すればよいから、差込みリブの複数箇所を同時に挿入部に挿入する必要がなく、キャビネットの組付けを容易に行うことができるので作業効率を上げることができる
【考案を実施するための最良の形態】
【００１８】
以下、本考案の具体的実施例について、図１から図９の図面を参照しながら説明する。なお、以下の実施形態は、本考案を具体化する際の一形態であって、電子機器のキャビネットとしてテレビジョン受像機のキャビネットを本考案に適用したもので、本考案をその範囲内に限定するためのものではない。
【００１９】
図１は、テレビジョン受像機の外観を示す斜視図、図２はテレビジョン受像機の分解斜視図、図３はフロントキャビネットの背面図、図４はフロントキャビネットの断面図、図５はバックキャビネットの背面図、図６はバックキャビネットの差込みリブをフロントキャビネットの挿入部に差し込む途中の状態を表す側面図、図７はバックキャビネットの差込みリブをフロントキャビネットの挿入部に差し込んだ状態を示す側面図、図８はバックキャビネットの差込みリブをフロントキャビネットの挿入部に差し込む途中の状態を示す拡大図、図９はバックキャビネットの差込みリブをフロントキャビネットの挿入部に差し込んだ状態を示す拡大図である。
【００２０】
図１から図５を用いて本考案におけるテレビジョン受像機１のキャビネット２の構成を説明する。テレビジョン受像機１のキャビネット２は、前面を開口したフロントキャビネット１１と、このフロントキャビネット１１の開口部分である第一開口部１９を覆うバックキャビネット３１から構成され、フロントキャビネット１１はアルミニウムなどの軽金属あるいは合成樹脂などによって枠型フレーム状に形成され、前面側に表示部１２を備え前面のフレーム部１３の四方周縁から後方に突設したトップフレーム部１３ａ（天井面）、ライトフレーム部１３ｂ、レフトフレーム部１３ｃ（左右両側壁面）、ボトムフレーム部１３ｄを備えている。一方、バックキャビネット３１はプラスチックなどの合成樹脂から成り、筐体状に、背面部３２の四方周縁から一体形成した天板面３２ａ、右側面部３２ｂ、左側面部３２ｃ、底面部３２ｄを備えて前面を開口した有底箱型を成している。
【００２１】
前記フレーム部１３の背面にはネジ孔１５や各種スイッチ部１６などを挿通する部品挿通孔１７が形成されるともに、ボトムフレーム部１３ｄを除く、トップフレーム部１３ａ、ライトフレーム部１３ｂ、レフトフレーム部１３ｃの内壁である第一内壁面１３ｅ（内周面側）に沿って複数の受けリブ１８が一体形成されている。前記受けリブ１８は細長い帯板状であり、これら受けリブ１８とトップフレーム部１３ａ、ライトフレーム部１３ｂ、レフトフレーム部１３ｃの内壁である第一内壁面１３ｅとの間には後述するバックキャビネット３１の差込みリブ３３を挿入する挿入部２０を設けている。なお、前記各受けリブ１８の先端はフロントキャビネット１１から後方に突出して設けられているとともに、バックキャビネット３１の差込みリブ３３を挿入する挿入部２０は各受けリブ１８の先端部１８ａから差込みリブ３３の挿入方向に向かって幅狭となるように傾斜しており、その傾斜によって前記差込みリブ３３を誘い込むようにしている。
【００２２】
バックキャビネット３１は、該バックキャビネット３１の一部を構成する天板面３２ａと右側面部３２ｂ、左側面部３２ｃの内壁である第二内壁面３２ｅからバックキャビネット３１の前方に突出する凸状の差込みリブ３３を備えるとともに、背面部３２には前記ネジ孔１５と対応するネジの挿通孔３４を備えている。前記差込みリブ３３はバックキャビネット３１の天板面３２ａと右側面部３２ｂ及び左側面部３２ｃの内壁である第二内壁面３２ｅの３方からバックキャビネット３１の前方に向かって一体形成されている。この各差込みリブ３３は中央部３３ａが最も高い凸状であって、その中央部３３ａから差込みリブ３３の両端に向かって直線的に傾斜した三角形状である。さらに、各差込みリブ３３は、中央部３３ａに向かって肉薄となるテーパ状である。
【００２３】
次に図６から図９を用いて、バックキャビネット３１とフロントキャビネット１１の組付け手順について説明する。バックキャビネット３１とフロントキャビネット１１の組付けに際し、バックキャビネット３１の天板面３２ａ、右側面部３２ｂ及び左側面部３２ｃに形成した凸状の差込みリブ３３をフロントキャビネット１１のトップフレーム部１３ａ、ライトフレーム部１３ｂ、レフトフレーム部１３ｃの第一内壁面１３ｅと受けリブ１８との間に形成する挿入部２０に挿入する。この際、挿入部２０に差し込む差込みリブ３３は、中央部３３ａが最も高い三角形状であるから、その最も高い差込みリブ３３の中央部３３ａから挿入部２０に挿入すればよいから、従来のように差込みリブ３３の両端を同時に挿入部２０に挿入する必要はない。さらに、差込みリブ３３は中央部３３ａに向かって肉薄となるテーパ状であり、他方、挿入部２０は、挿入部２０を構成する各受けリブ１８の先端部１８ａから差込みリブ３３の挿入方向に向かって幅狭となるように傾斜しており、挿入部２０に差込みリブ３３を挿入する際、挿入部２０内に差込みリブ３３がスムースに誘い込まれる。このようにして受けリブ１８によって形成される挿入部２０にバックキャビネット３１の差込みリブ３３をそれぞれ挿入してフロントキャビネット１１とバックキャビネット３１とを相互に位置決めすることによってフロントキャビネット１１とバックキャビネット３１の各開口部１９，３５を重ね合わせた後、バックキャビネット３１の背面部３２に形成する挿通孔３４からフロントキャビネット１１のネジ孔１５にねじを螺着して各キャビネット１１,３１を固定する。
【００２４】
以上のように、本実施例のテレビジョン受像機１のキャビネット２によれば、フロントキャビネット１１に細長い凸状の受けリブ１８を、トップフレーム部１３a、ライトフレーム部１３ｂ、レフトフレーム部１３ｃの第一内壁面１３ｅ近傍に第一開口部１９から突出するように複数形成し、各第一内壁面１３ｅと受けリブ１８の間に挿入部２０を設け、バックキャビネット３１の天板面３２ａと右側面部３２ｃ及び左側面部３２ｄの第二内壁面３２ｅに中央に中央部３３ａを備えた肉薄な凸状の差込みリブ３３を各面３２ａ、３２ｂ、３２ｃに一つ形成して、組付ける際にはバックキャビネット３１の差込みリブ３３の中央部３３ａをガイドとして順次フロントキャビネット１１に備えられた複数の挿入部２０に誘い込んで各キャビネット１１,３１を位置決め固定した後、バックキャビネット３１の背面部３２に形成する挿通孔３４からフロントキャビネット１１のネジ孔１５にねじを螺着して各キャビネット１１,３１を固定するので、テレビジョン受像機１の大きさによって各リブ１８、３３を増やす必要がない。また、挿入部２０に差し込む差込みリブ３３は、中央部３３ａが最も高い三角形状であるから、その最も高い差込みリブ３３の中央部３３ａの一箇所を挿入部２０に挿入すればよいから、差込みリブ３３の複数箇所を同時に挿入部２０に挿入する必要がない。さらに、差込みリブ３３は、中央部３３ａに向かって肉薄となるテーパ状であり、他方、挿入部２０は、挿入部２０を構成する各受けリブ１８の先端部１８ａから差込みリブ３３の挿入方向に向かって幅狭となるように傾斜しているため、挿入部２０に差込みリブ３３を挿入する際、挿入部２０内に差込みリブ３３をスムースに誘い込むことができ、極めて効率的にフロントキャビネット１１とバックキャビネット３１とを組付けることができ、作業効率を向上することができる。
【００２５】
また、バックキャビネット３１の天板面３２ａ、右側面部３２ｂ及び左側面部３２ｃの第二内壁面３２ｅに備えられた差込みリブ３３とフロントキャビネット１１のトップフレーム部１３a、ライトフレーム部１３ｂ、レフトフレーム部１３ｃの第一内壁面１３ｅに備えられた受けリブ１８は、組付けた際に、バックキャビネット３１の差込みリブ３３の傾斜に沿ってフロントキャビネット１１の第一内壁面１３ｅに押し付けられ、受けリブ１８と第一内壁面１３ｅとで強固に挟持され、差込みリブ３３とフロントキャビネット１１の第一内壁面１３ｅとが一体化するため、キャビネット２内部に配置されるスピーカー音の振動がキャビネット２に伝わり、部分的に生じる振動音など抑制することができるので、より高品質な電子機器１のキャビネット２を提供することができる。
【００２６】
さらに、バックキャビネット３１に備えた差込みリブ３３は中央に中央部３３ａを設けた凸状から成り、その端部は低くなっているので、落下等過度の衝撃が加わった際に起こる端部の破損による故障を防ぐことができるので、品位の向上を図ることができる。
【図面の簡単な説明】
【００２７】
【図１】本考案の一実施例を示すテレビジョン受像機の外観を示す斜視図である。
【図２】同上、テレビジョン受像機の分解斜視図である。
【図３】同上、フロントキャビネットの背面図である。
【図４】同上、フロントキャビネットの断面図である。
【図５】同上、バックキャビネットの背面図である。
【図６】同上、バックキャビネットの差込みリブをフロントキャビネットの挿入部に差し込む途中の状態を表す側面図である。
【図７】同上、バックキャビネットの差込みリブをフロントキャビネットの挿入部に差し込んだ状態を示す側面図である。
【図８】同上、バックキャビネットの差込みリブをフロントキャビネットの挿入部に差し込む途中の状態を示す拡大図である。
【図９】同上、バックキャビネットの差込みリブをフロントキャビネットの挿入部に差し込んだ状態を示す拡大図である。
【符号の説明】
【００２８】
１  電子機器（テレビジョン受像機）
２  キャビネット
１１  フロントキャビネット
１３ａ  天井面（トップフレーム部）
１３ｂ、１３ｃ  左右側壁面（ライトフレーム部、レフトフレーム部）
１３ｅ  内周面側（第一内壁面）
１８  受けリブ
１８ａ  先端部
１９  開口縁部（第一開口部）
２０  挿入部
３１  バックキャビネット
３２ａ  天井面
３２ｂ、３２ｃ  左右側面（右側面部、左側面部）
３３  差込みリブ
３３ａ  中央部
３５  開口縁部（第二開口部）
【図１】
0003116829.tif 000003
【図２】
0003116829.tif 000004
【図３】
0003116829.tif 000005
【図４】
0003116829.tif 000006
【図５】
0003116829.tif 000007
【図６】
0003116829.tif 000008
【図７】
0003116829.tif 000009
【図８】
0003116829.tif 000010
【図９】
0003116829.tif 000011